(57)【要約】      （修正有）【課題】分離したシート片のまま直接誤飲されることを防止する包装体。【解決手段】カプセルや錠剤タイプの薬剤或は粒状の菓子等の包装体において、複数の収納部１１が少なくとも一方の面に突出して設けられているシート状の包装体１０の隣り合う収納部１１の間を通る包装体断面が、他の収納部１１の断面を含むように収納部１１を配置する。【選択図】図１
2013095507.tif 000002
【特許請求の範囲】
【請求項１】
複数の収納部が少なくとも一方の面に突出して設けられているシート状の包装体であって、隣り合う前記収納部の間を通る包装体断面が、他の前記収納部の断面を含むことを特徴とする包装体。
【請求項２】
前記収納部が正六角形の形状をなし、当該収納部は２列以上設けられ、且つ隣り合う収納部の対向する辺が平行となるように配置されていることを特徴とする請求項１記載の包装体。
【発明の詳細な説明】
【技術分野】
【０００１】  本発明は、医薬品や菓子等の製品を包装する場合に用いられる包装体に関する。
【背景技術】
【０００２】  一般に、カプセルや錠剤タイプの薬剤或は粒状の菓子等の包装体としては、プラスチックシートの第１のシートに薬剤等を収納するための複数の収納部を整列的に形成し、各収納部に薬剤を収納した後、アルミシート等の第２のシートを貼り付けて蓋をする形態のものがある。そして、収納部の間にはミシン目やハーフカット等の切り離し線が形成されていて、所定数の収納部を有するシート片毎に分離できるようになっている。ところで、このように小さなシート片に分離することができる包装体において、特に１錠分の収納部を有するシート片に分離した場合に、薬剤の大きさが小さいとシート片の形状も小さくなるので、服用する患者が、特に高齢者などの場合に多いが、分離したシート片のまま服用し食道等を傷つけてしまう誤飲事故が発生している。そこで、特許文献１にある包装体では１回（１回で複数錠を服用する場合）のもしくは１日の服用錠数毎にまとめて分離できるように切り離し線を設けて、シート片が小さくならないようにした包装体が提案されている。
【先行技術文献】
【特許文献】
【０００３】
【特許文献１】実用新案第３０１８０２４号
【発明の概要】
【発明が解決しようとする課題】
【０００４】  しかしながら、特許文献１にある包装体であっても、切り離し線が入っていない箇所を鋏でカットして１錠分のシート片に分離し、そのシート片を服用してしまう可能性ある。【０００５】  本発明はこのような事情に鑑みてなされたものであり、その目的は、小さなシート片に分離しにくくすることで、シート片のまま服用する誤飲事故の発生を防止するための包装体を提供することにある。
【課題を解決するための手段】
【０００６】  本発明の請求項１に係る包装体は、所期の目的を達成するために下記の問題解決手段を特徴とする。すなわち請求項１に記載の包装体は、複数の収納部が少なくとも一方の面に突出して設けられているシート状の包装体であって、隣り合う前記収納部の間を通る包装体断面が、他の前記収納部の断面を含むことを特徴とする。【０００７】  請求項２に係る包装体は、収納部が正六角形の形状をなし、当該収納部は２列以上設けられ、且つ隣り合う収納部の対向する辺が平行となるように配置されていることを特徴とする。【０００８】  請求項１に係る包装体によれば、一つの収納部を有する小さなシート片に分離しようとして包装体を横切るように鋏等を入れると、必ず鋏に収納部が干渉して切断の邪魔をするため、使用者に分離しにくいことを認識させることができる。これにより、使用者に分離を断念させ、収納部から製品を取り出して服用又は喫食することを促すことができる。包装体は、請求項２に記載の構成を採用することで、収納部をより密に配置することができる。
【発明の効果】
【０００９】  本発明に係る包装体は、鋏などの刃物で小さなシート片毎に分離しようとしても、収納部が邪魔をするため、収納部から製品を取り出して服用又は喫食するように促すことができ、誤飲事故を未然に防ぐことができる。
【図面の簡単な説明】
【００１０】
【図１】本発明の第１実施形態による包装体であり、（Ａ）は包装体の平面図であり、（Ｂ）は（Ａ）図におけるＩ−Ｉ矢視断面図である。
【図２】（Ａ）は、本発明の包装体に直交する平面を示す説明図である。（Ｂ）は、平面１５における断面図である。
【図３】本発明の第２実施形態による包装体であり、（Ａ）は包装体の平面図であり、（Ｂ）は（Ａ）図における包装体のＩＩ−ＩＩ矢視断面図である。
【図４】本発明の第３実施形態による包装体である。
【発明を実施するための形態】
【００１１】（第１実施形態）
以下に、本発明に係る包装体の実施の形態について、錠剤用のＰＴＰ包装体を例にして第１〜５図を参照して説明する。第１図は本発明の請求項１に係る包装体の実施例を示す平面図であり、（Ｂ）図は（Ａ）図中のＩ−Ｉ矢視断面図である。第１、２図に示すように、薬剤の包装体１０はプラスチックフィルムの一方の面に突出して形成された、複数の収納部１１が３列に成形されている第１のシート１３と、これに重ね合わされて熱溶着によるシールが施され収納部１１に蓋をするアルミ箔シートの第２のシート１４からなる。なお、第２のシート１４は、プラスチックフィルムであっても良い。
【００１２】  包装体１０の収容部１１は、隣り合う収納部１１の間を通る包装体断面１５が（紙面に対して垂直方向の断面）、他の収納部１１の断面を含むかたちになっている。即ち、第２図に示すように、外側の隣り合う収納部１１の間を通る包装体断面１５は、中央に位置する収納部１１の断面を含んでいる。このように収納部１１を配置することで、包装体１０に鋏を入れたときに中央の収納部１１が鋏に干渉して切断の邪魔をし、包装体１０が分離しにくいことを使用者に認識させ、一錠分のシート片に分離することを止めさせることができる。よって、収納部１１から錠剤１２を取り出して服用することを促し、シート片のまま服用して食道等を傷つけてしまう誤飲事故の発生を未然に防止することができる。
【００１３】  第１実施形態の包装体１１では、収納部１１の形状を円形としたがこれに限らず、三角形、四角形、五角形等の多角形であっても良く、星型などの任意の形状であっても良い。また、収納部１１を全て同じ形状としたが、これに限らず、複数の形状の収納部１１であっても良い。要は、隣り合う収納部１１の間を通る包装体断面が、他の収納部１１の断面を含むような形状にして、包装体１０に鋏を入れたときに収納部１１が鋏に干渉するようにすれば良い。収納部１１の形状、および大きさは適宜に選択し得る。更にまた、収納部１１の配置については、規則正しく配置する必要はなく、ランダムに配置してももちろん良い。
【００１４】（第２実施形態）
包装体の基本的な構成は、第１実施形態の包装体１１と同様であるため、重複する部分については説明を省略する。図３の第２実施形態に係る包装体２０は、２種類の大きさの異なる円形の収納部２１のそれぞれ（大きい収納部２１ａ、小さい収納部２１ｂ）を交互に配置している。本実施形態では、隣接する収納部２１の中心間の距離を大きい方の収納部２１ａの直径未満になるように配置している。第２実施形態の包装体２０においても、第３図の（Ａ）図に示すように、隣り合う収納部２１（大きい収納部２１ａと小さい収納部２１ｂ、又は大きい収納部２１ａどうし、或は小さい収納部２１ｂどうし）の間を通る包装体断面１５が、必ず他の収納部２１の断面を含む形状になっている。こうして、包装体２０を錠剤２２の一個分毎の小さなシート片に分離しにくくしている。
【００１５】（第３実施形態）
包装体の基本的な構成は、第１実施形態の包装体１０と同様であるため、重複する部分については説明を省略する。図４の第３実施形態に係る包装体３０は、収納部３１が正六角形の形状をなし、収納部３１は２列以上設けられている。これらの収納部３１は、隣り合う収納部３１の互いに対向する辺が平行となるように配置されている。このような形状にすることで、収納部３１間の余分なスペースが無くなるため、第１シート及び第２シートの使用量を削減することができるのである。なお、本実施形態では、隣接する収納部３１の中心間の距離を収納部３１の外接円の直径未満になるように配置している。そして、図示するように、隣り合う収納部３１の間を通る包装体断面１５は、必ず他の収納部３１の断面を含む形状になっている。こうして、包装体３０を錠剤３２の一個分毎の小さなシート片に分離しにくくしている。
【００１６】  なお、本発明に係る包装体を製造するにあたっては、例えば特開２０１１−２０６８４の［図３］に開示されている複数の充填ユニットを有する充填装置で製造することができる。
【００１７】  上記第１〜４の実施形態は錠剤用のＰＴＰ包装体であるが、被包装物は飴やガム等の菓子を含む食品であっても良い。また、収納部は一方の面に突出したものに限らず両面に突出したストリップ包装の様なものを採用することもできる。
【符号の説明】
【００１８】１０、２０、３０  包装体
１１、２１、３１  収納部
１２、２２、３２  錠剤
１３  第１のシート
１４  第２のシート
１５  平面
【図１】
2013095507.tif 000003
【図２】
2013095507.tif 000004
【図３】
2013095507.tif 000005
【図４】
2013095507.tif 000006